(57)【要約】      （修正有）【課題】小さい力、かつ簡単な動作で綴じ足を回転させることができる綴じ具を提供する。【解決手段】操作部材を回動させると、駆動ギア３１が操作部材に同期して回動し、それに伴いラック３２が移動し、ラック３２の移動に伴い綴じ足ギア３３，３４が回動する。綴じ足ギア３３，３４の回動に同期して、第１面がラック３２の移動方向と略平行であり、被ファイル部材を綴じ足２６，２７に対して抜き差し不可能な状態と、第２面がラック３２の移動方向と略平行であり、被ファイル部材を綴じ足２６，２７の長手方向と略直交する方向に抜き差し可能な状態との間で綴じ足２６，２７が回動する。【選択図】図５
2019199067.tif 000002
【特許請求の範囲】
【請求項１】
孔と、前記孔と端辺とを連結し、前記孔の直径より幅が狭いスリットと、が形成された被ファイル部材を綴じる綴じ具であって、
扁平な棒状体であり、長手方向に沿った第１面の幅が前記スリットの幅より広く、前記第１面に隣接する第２面の幅が前記スリットより狭い綴じ足と、
前記綴じ足の長手方向と略直交する方向と略平行な平面を有し、前記綴じ足が回動可能に設けられる基部と、
前記平面に設けられ、前記平面に沿って回転可能な略板状の操作部材と、
前記操作部材と連結され、前記操作部材の回転と同期して回転する駆動ギアと、
前記平面と略平行に設けられた略板状のラックであって、前記駆動ギアとかみ合う第１ラックギアと、前記第１ラックギアと異なる位置に形成された第２ラックギアと、を有し、前記駆動ギアの回転に伴って平行移動するラックと、
前記第２ラックギアとかみ合い、前記ラックの移動に伴って回動する綴じ足ギアであって、前記綴じ足と連結された綴じ足ギアと、を備え、
前記操作部材を回動させると、前記第１面が前記ラックの移動方向と略平行であり、前記被ファイル部材を前記綴じ足に対して抜き差し不可能な状態と、前記第２面が前記ラックの移動方向と略平行であり、前記被ファイル部材を前記綴じ足の長手方向と略直交する方向に抜き差し可能な状態との間で前記綴じ足が回動する
ことを特徴とする綴じ具。
【請求項２】
前記綴じ足ギア及び前記綴じ足をそれぞれ２個備え、
２個の前記綴じ足ギアは異なる位置に設けられ、
前記ラックは、２個の前記綴じ足ギアがそれぞれ噛み合う２個の前記第２ラックギアを有し、
２個の前記第２ラックギアは、前記第１ラックギアの両側に設けられている
ことを特徴とする請求項１に記載の綴じ具。
【請求項３】
前記駆動ギア及び前記綴じ足ギアは平歯車であり、
前記駆動ギア、前記ラック及び前記綴じ足ギアは同一平面上に設けられている
ことを特徴とする請求項１又は２記載の綴じ具。
【請求項４】
前記駆動ギア及び前記第１ラックギアのモジュールは、前記綴じ足ギア及び前記第２ラックギアのモジュールの１／２である
ことを特徴とする請求項１から３のいずれか一項に記載の綴じ具。
【請求項５】
前記綴じ足ギアは、幅が前記第２面の幅と略同じである長孔を有し、
前記綴じ足は、幅が前記第１面より狭い先端部が、前記第１面と連続して形成され、
前記先端部が前記長孔に挿入されている
ことを特徴とする請求項１から４のいずれか一項に記載の綴じ具。
【請求項６】
両端が前記綴じ足ギアの外周部と前記基部とにそれぞれ固定された引っ張りばねをさらに備え、
前記綴じ足ギアは、外周の一部に歯が形成され、
前記綴じ足ギアにおいて、前記綴じ足ギアの中心を挟んで前記歯の略反対側に前記引っ張りばねの一端が設けられている
ことを特徴とする請求項１から５のいずれか一項に記載の綴じ具。
【請求項７】
請求項１から６のいずれか一項に記載の綴じ具と、
前記被ファイル部材が差し込まれている状態において前記被ファイル部材の表裏面をそれぞれ覆う１対の平板と、
前記１対の平板の対向する端部を連結する背板と、
を備えたことを特徴とするファイル。
【請求項８】
前記綴じ具は、前記背板に固定されていることを特徴とする請求項７に記載のファイル。
【発明の詳細な説明】
【技術分野】
【０００１】
本発明は、綴じ具及びファイルに関する。
【背景技術】
【０００２】
用紙等の被ファイル部材が有する孔に綴じ足を挿通させることにより、被ファイル部材の差し込み又は抜き出しを可能にする綴じ具が知られている。
【０００３】
特許文献１には、とじ足に対して被ファイル部材の差し込み又は抜き出しを可能にするとじ具において、筺体に扁平な２本以上のとじ足が回転自在に支持されており、とじ足に設けられた変角案内部と、とじ足の変角案内部が挿通して係合する変角案内孔が形成された変角部材と、とじ足の回転角度が変化するように変角部材を動かすための操作手段と、が設けられている綴じ具が記載されている。
【先行技術文献】
【特許文献】
【０００４】
【特許文献１】特開２０１７−１３３３８号公報
【発明の概要】
【発明が解決しようとする課題】
【０００５】
図１１は、従来（特許文献１）の綴じ具の実施の形態を示す正面斜視図である。ただし図１１では、綴じ具の上カバーは省略されている。綴じ具１００は、対向する上下板を連結する、互いに略平行な２個の綴じ足１２６を有する。被ファイル部材Ｐは、例えば紙又はプラスチック製等の平板であり、平板の表裏を貫通する略円形の綴じ穴Ｈ１と、綴じ穴Ｈ１と被ファイル部材Ｐの端部とを連通するスリットＨ２とを有する。綴じ足１２６が被ファイル部材Ｐの綴じ穴Ｈ１、Ｈ１に挿通されることで、被ファイル部材Ｐが綴じ具１００に掛け止められる。
【０００６】
綴じ足１２６は、扁平な棒状体である。綴じ足１２６は、第１面１２３及び第２面１２４を有しており、綴じ足１２６が円周方向に回転されることにより、第１面１２３が綴じ具１００における正面、すなわち被ファイル部材Ｐを抜き差しする側に向く態様と、第２面１２４が綴じ具１００の正面側に向く態様とが、切り替え可能に構成されている。
【０００７】
第１面１２３の幅は第２面１２４の幅より広く、第１面１２３の幅は、綴じ穴Ｈ１の直径と同等以下である。第２面１２４の幅は、スリットＨ２の幅と同等以下である。第１面１２３が綴じ具１００の正面側に向いている態様においては、第１面１２３の全幅がスリットＨ２の幅に対して十分大きいため、被ファイル部材Ｐは綴じ具１００に掛け止められる。第２面１２４が綴じ具１００の正面側に向いている態様においては、綴じ具１００の正面側から、綴じ具１００から離れる方向へ被ファイル部材Ｐを引っ張ることにより、綴じ穴Ｈ１に挿通されている綴じ足１２６が被ファイル部材ＰのスリットＨ２を通って、被ファイル部材Ｐを綴じ具１００から抜き出すことができる。
【０００８】
２つの態様の切り替えは、平板状の操作手段１０４を図中手前に向かって引っ張る（図１１の矢印参照）ことにより行う。操作手段１０４を移動させると、綴じ足変角部１２１が湾曲した変角案内孔１４１に沿って移動し、それに伴って綴じ足１２６が回転する。
【０００９】
特許文献１に記載の綴じ具では、操作手段１０４を直線的に引っ張ったとしても、綴じ足変角部１２１が湾曲した変角案内孔１４１に沿って移動するのに伴い、操作手段１０４も変角案内孔１４１の湾曲に沿って移動する。したがって、操作手段１０４の操作性が悪く、操作手段１０４の操作に大きな力が必要であり、被ファイル部材の抜き差しが面倒であるという問題があった。
【００１０】
本発明はこのような事情を鑑みてなされたもので、小さい力、かつ簡単な動作で綴じ足を回転させることができる綴じ具を提供することを目的とする。
【課題を解決するための手段】
【００１１】
上記課題を解決するために、本発明に係る綴じ具は、例えば、孔と、前記孔と端辺とを連結し、前記孔の直径より幅が狭いスリットと、が形成された被ファイル部材を綴じる綴じ具であって、扁平な棒状体であり、長手方向に沿った第１面の幅が前記スリットの幅より広く、前記第１面に隣接する第２面の幅が前記スリットより狭い綴じ足と、前記綴じ足の長手方向と略直交する方向と略平行な平面を有し、前記綴じ足が回動可能に設けられる基部と、前記平面に設けられ、前記平面に沿って回転可能な略板状の操作部材と、前記操作部材と連結され、前記操作部材の回転と同期して回転する駆動ギアと、前記平面と略平行に設けられた略板状のラックであって、前記駆動ギアとかみ合う第１ラックギアと、前記第１ラックギアと異なる位置に形成された第２ラックギアと、を有し、前記駆動ギアの回転に伴って平行移動するラックと、前記第２ラックギアとかみ合い、前記ラックの移動に伴って回動する綴じ足ギアであって、前記綴じ足と連結された綴じ足ギアと、を備え、前記操作部材を回動させると、前記第１面が前記ラックの移動方向と略平行であり、前記被ファイル部材を前記綴じ足に対して抜き差し不可能な状態と、前記第２面が前記ラックの移動方向と略平行であり、前記被ファイル部材を前記綴じ足の長手方向と略直交する方向に抜き差し可能な状態との間で前記綴じ足が回動することを特徴とする。
【００１２】
本発明係る綴じ具によれば、操作部材を回動させると、駆動ギアが操作部材に同期して回動し、それに伴いラックが移動し、ラックの移動に伴い綴じ足ギアが回動する。綴じ足ギアの回動に同期して、第１面がラックの移動方向と略平行であり、被ファイル部材を綴じ足に対して抜き差し不可能な状態と、第２面がラックの移動方向と略平行であり、被ファイル部材を綴じ足の長手方向と略直交する方向に抜き差し可能な状態との間で綴じ足が回動する。これにより、小さい力、かつ簡単な動作で綴じ足を回転させることができる。
【００１３】
ここで、前記綴じ足ギア及び前記綴じ足をそれぞれ２個備え、２個の前記綴じ足ギアは異なる位置に設けられ、前記ラックは、２個の前記綴じ足ギアがそれぞれ噛み合う２個の前記第２ラックギアを有し、２個の前記第２ラックギアは、前記第１ラックギアの両側に設けられていてもよい。これにより、複数の綴じ穴及びスリットを有する被ファイル部材を収容することができる。
【００１４】
ここで、前記駆動ギア及び前記綴じ足ギアは平歯車であり、前記駆動ギア、前記ラック及び前記綴じ足ギアは同一平面上に設けられていてもよい。これにより、綴じ足を回転させるための機構部分を薄くし、綴じ具をコンパクトにすることができる。
【００１５】
ここで、前記駆動ギア及び前記第１ラックギアのモジュールは、前記綴じ足ギア及び前記第２ラックギアのモジュールの１／２であってもよい。これにより、ラックが一定距離移動したときの綴じ足ギアの回動量は、駆動ギアの回動量の半分となり、駆動ギアすなわち操作部材を略１８０度回転させることで、綴じ足ギアすなわち綴じ足を略９０度回転させることができる。また、綴じ足ギアトルクが駆動ギアのトルクの略２倍となり、より軽い力で綴じ足を回転させることができる。
【００１６】
ここで、前記綴じ足ギアは、幅が前記第２面の幅と略同じである長孔を有し、前記綴じ足は、幅が前記第１面より狭い先端部が、前記第１面と連続して形成され、前記先端部が前記長孔に挿入されていてもよい。これにより、綴じ足と長孔とが面で当接し、綴じ足に大きな回転トルクが発生したとしても、長孔に対して綴じ足が回転しないようにすることができる。
【００１７】
ここで、両端が前記綴じ足ギアの外周部と前記基部とにそれぞれ固定された引っ張りばねをさらに備え、前記綴じ足ギアは、外周の一部に歯が形成され、前記綴じ足ギアにおいて、前記綴じ足ギアの中心を挟んで前記歯の略反対側に前記引っ張りばねの一端が設けられていてもよい。これにより、意図しないときに綴じ足が回転しないようにすることができる。
【００１８】
また、本発明に係るファイルは、例えば、綴じ具と、前記被ファイル部材が差し込まれている状態において前記被ファイル部材の表裏面をそれぞれ覆う１対の平板と、前記１対の平板の対向する端部を連結する背板と、を備えたことを特徴とする。これにより、小さい力、かつ簡単な動作で綴じ足を回転させることができる。
【００１９】
ここで、前記綴じ具は、前記背板に固定されていてもよい。これにより、綴じ具がファイルの平板に固定されている態様に比べて、ファイルの使い勝手を良くすることができる。
【発明の効果】
【００２０】
本発明によれば、小さい力、かつ簡単な動作で綴じ足を回転させることができる。
【図面の簡単な説明】
【００２１】
【図１】本発明の第１の実施の形態に係る綴じ具１を備えたファイルの一例を示す正面斜視図である。
【図２】上板２１の概略を示す斜視図である。
【図３】綴じ足２６、２７の概略を示す斜視図である。
【図４】上カバー１１の概略を示す斜視図である。
【図５】機構部３の概略を示す斜視図である。
【図６】ラック３２の概略を示す斜視図である。
【図７】第１綴じ足ギア３３及び第２綴じ足ギア３４の概略を示す平面図である。
【図８】操作部材４の概略を示す斜視図である。
【図９】（ａ）は、第１面２６１、２７１が正面側を向いている第１態様を示す斜視図であり、（ｂ）は、第２面２６２、２７２が正面側を向いている第２態様を示す斜視図である。
【図１０】本発明の第２の実施の形態に係る綴じ具１Ａの概略を示す斜視図である。
【図１１】従来の綴じ具の実施の形態を示す正面斜視図である。
【発明を実施するための形態】
【００２２】
以下、本発明にかかる綴じ具について、図面を参照しながら説明する。本発明にかかる綴じ具は、孔と、孔と端辺とを連結し、孔の直径より幅が狭いスリットが形成された被ファイル部材を綴じる綴じ具である。
【００２３】
＜第１の実施の形態＞
以下、本発明にかかる綴じ具の第１の実施形態について、図面を参照しながら説明する。図１は、本発明の第１の実施の形態に係る綴じ具１を備えたファイルの一例を示す正面斜視図である。ファイル１０は、主として、表表紙１０１と、背表紙１０２と、裏表紙１０３と、綴じ具１と、を備える。
【００２４】
表表紙１０１、背表紙１０２及び裏表紙１０３は、いずれも略平板である。表表紙１０１及び裏表紙１０３は対をなして対向しており、被ファイル部材Ｐが差し込まれている状態において被ファイル部材Ｐの表裏面をそれぞれ覆う。背表紙１０２は、表表紙１０１及び裏表紙１０３の端部を連結している。
【００２５】
綴じ具１は、主として、筐体２と、機構部３（図５参照）と、操作部材４と、上カバー１１と、綴じ足２６と、綴じ足２７と、整列突起２４と、整列突起２５と、を備える。綴じ具１においては、操作部材４を略１８０度回転させると、綴じ足２６、２７が略９０度回転する。以下、綴じ具１について詳細に説明する。
【００２６】
筐体２は、綴じ具１の外形を構成する部材であり、主として上板２１、背板２２、及び下板２３を有する。上カバー１１及び上板２１は、本発明における基部に相当する。上板２１、背板２２、及び下板２３は、綴じ具１の正面視において（−ｙ方向からみたときに）左右方向（ｘ方向）の長さが互いに等しい平板である。背板２２は上板２１と下板２３とを連結し、背板２２と上板２１及び背板２２と下板２３とはそれぞれ略直角に接合される。上板２１及び下板２３は、略平行であり、互いに対向している。すなわち、筐体２は、側面視においてコの字型、あるいはＵ字型になっている。
【００２７】
綴じ具１の背面、すなわち背板２２の外表面は、ファイル１０の背表紙１０２の内側の面の中央部に固定されている。
【００２８】
図２は、上板２１の概略を示す斜視図である。図２では、上板２１を平面視している（＋ｚ側から見ている）。上板２１の主面２１９には、綴じ足２６、２７の上端がそれぞれ挿通される綴じ足孔２１１、２１２が形成されている。綴じ足孔２１１、２１２は、綴じ足２６、２７の幅に対応する円を四分円に分割し、点対称の位置にある２個の四分円のみを連結したような形状である。この形状により、綴じ足２６、２７は、略９０度の範囲で回転可能に保持されている。つまり、上板２１には、綴じ足２６、２７が回動可能に設けられる。
【００２９】
綴じ足孔２１１と２１２の間には、駆動ギア軸受部２１３が形成されている。駆動ギア軸受部２１３には、操作部材４の回転を綴じ足２６、２７に伝達するための後述する駆動ギア３１（後に詳述）が回動自在に設けられている。上板２１の、背板２２と連結される側の端部近傍には、整列突起２４、２５が挿通される略二等辺三角形状の整列突起孔２１４、２１５がそれぞれ形成されている。綴じ足孔２１１、２１２と整列突起２４、２５は、左右方向（ｘ方向）の位置が略同じである。
【００３０】
図１の説明に戻る。整列突起２４、２５は、背板２２に沿って設けられている略三角柱状の部材である。整列突起２４、２５は背板２２の高さ方向に渡って設けられている。整列突起２４，２５の上端部は、上板２１の整列突起孔２１４、２１５にそれぞれ挿通され、固定されている。
【００３１】
整列突起２４、２５の側面形状は、被ファイル部材ＰのＶ字溝Ｈ３と対応する形状である。整列突起２４、２５は、綴じ足２６、２７の後方（＋ｙ側）に配置されている。被ファイル部材ＰのＶ字溝Ｈ３が整列突起２４、２５の側面に突き当てられることで、綴じ具１の前後（ｙ方向）方向における被ファイル部材Ｐの位置を整列させることができる。
【００３２】
整列突起２４の上端部には、突き当て突起２４１、２４２及び嵌合突起２４３が形成されている。整列突起２５の上端部には、整列突起２４と同様に、突き当て突起２５１、２５２及び嵌合突起２５３が形成されている。突き当て突起２４１、２４２、２５１、２５２及び嵌合突起２４３，２５３は、上板２１及び上カバー１１を貫通し、上カバー１１の上面から突出している。
【００３３】
突き当て突起２４１、２４２、２５１、２５２は、平面視において（＋ｚ方向からみたときに）略矩形形状の突起である。突き当て突起２４１、２４２は、長辺が上カバー１１の背面側端部に沿う向きで（ｘ方向に沿って）、互いに間隔を空けて突出している。突き当て突起２５１、２５２は、駆動ギア３１を挟んで突き当て突起２４１、２４２の反対側に設けられ、長辺が上カバー１１の背面側端部に沿う向きで（ｘ方向に沿って）、互いに間隔を空けて突出している。
【００３４】
嵌合突起２４３、２５３は、略円柱状の突起である。嵌合突起２４３は、左右方向（ｘ方向）において突き当て突起２４１と２４２の間に設けられ、嵌合突起２４３は、左右方向（ｘ方向）において突き当て突起２５１と２５２の間に設けられる。また、嵌合突起２４３、２５３は、各突き当て突起２４１、２４２、２５１、２５２よりも綴じ具１の正面寄り（−ｙ側）に設けられている。
【００３５】
図３は、綴じ足２６、２７の概略を示す斜視図である。綴じ足２６と綴じ足２７は略同一形状である。綴じ足２６、２７は、扁平な棒状体である。綴じ足２６、２７は、それぞれ、長手方向に沿って第１面２６１、２７１及び第２面２６２、２７２を有している。第１面２６１、２７１と第２面２６２、２７２とは隣接している。また、綴じ足２６の第１面２６１及び第２面２６２は互いに略直交しており、綴じ足２７の第１面２７１及び第２面２７２は互いに略直交している。第１面２６１、２７１の幅は第２面２６２、２７２の幅より広い。第１面２６１、２７１の幅は、綴じ穴Ｈ１の直径と略同等以下であり、スリットＨ２（図１参照）の幅より広い。第２面２６２、２７２の幅は、スリットＨ２の幅より狭い。綴じ足２６、２７は、それぞれ、幅が第１面２６１、２７１より狭い先端部２６３、２７３を有し、第１面２６１、２７１と先端部２６３、２７３とは連続している。
【００３６】
図１の説明に戻る。綴じ足２６、２７は、長手方向がｚ方向沿って設けられ、上板２１及び下板２３に両端が連結される。上板２１（主面２１９）と第１面２６１、第２面２６２とは略直交し、上板２１（主面２１９）と第１面２７１、第２面２７２とは略直交する。
【００３７】
綴じ足２６、２７は、それぞれ軸ａｘ１、ａｘ２を中心に回転されることにより、第１面２６１、２７１が綴じ具１における正面側（−ｙ側）、すなわち被ファイル部材Ｐを抜き差しする側に向く第１態様と、第２面２６２、２７２が綴じ具１の正面側に向く第２態様とが、切替可能に構成されている。
【００３８】
綴じ足２６及び綴じ足２７は互いに同期して回動する。綴じ足２６の第１面２６１が正面側に向くときには、綴じ足２７の第１面２７１が正面側を向き、綴じ足２６の第２面２６２が正面側に向くときには、綴じ足２７の第２面２７２が正面側を向く（後に詳述）。
【００３９】
図４は、上カバー１１の概略を示す斜視図である。上カバー１１は、上板２１の上面を覆う略箱状の部材であり、平板部１１１を有する。平板部１１１には、長孔１１２、１１３、１１５、１１６及び丸孔１１４、１１７が形成される。また、平板部１１１の裏面（−ｚ側の面）には、綴じ足２６、２７を軸支する軸受１１８、１１９が形成される。
【００４０】
長孔１１２、１１３には、整列突起２４の上端部に形成される突き当て突起２４１、２４２（図１参照）が挿通される。長孔１１５、１１６には、整列突起２５の上端部に形成される突き当て突起２５１、２５２（図１参照）が挿通される。丸孔１１４には、整列突起２４の上端部に形成される嵌合突起２４３（図１参照）が挿通される。丸孔１１７には、整列突起２５の上端部に形成される嵌合突起２５３（図１参照）が挿通される。
【００４１】
図１の説明に戻る。上カバー１１と上板２１との間には空間があり、操作部材４の回転を綴じ足２６及び２７に伝達させるための機構部３が収容されている。
【００４２】
図５は、機構部３の概略を示す斜視図である。図５では、綴じ具１の上カバー１１を省略している。機構部３は、主として、駆動ギア３１と、ラック３２と、第１綴じ足ギア３３と、第２綴じ足ギア３４と、を備える。機構部３は、操作部材４の回転運動を綴じ足２６、２７に伝達するための機構である。駆動ギア３１、ラック３２、第１綴じ足ギア３３及び第２綴じ足ギア３４は、同一平面上に配置されている。したがって、機構部３が薄くなり、綴じ具１がコンパクトになる。
【００４３】
駆動ギア３１は操作部材４（図５では図示省略）と連結され、駆動ギア３１と操作部材４とは同期して回動する。第１綴じ足ギア３３及び第２綴じ足ギア３４は、綴じ足２６、２７とそれぞれ連結され、第１綴じ足ギア３３と綴じ足２６とは同期して回動し、第２綴じ足ギア３４と綴じ足２７とは同期して回動する。第１綴じ足ギア３３及び第２綴じ足ギア３４は、平面視において（ｚ方向から見て）異なる位置に設けられる。また、第１綴じ足ギア３３と綴じ足２６とは平面視における位置が重なり、第２綴じ足ギア３４と綴じ足２７とは平面視における位置が重なる。
【００４４】
駆動ギア３１は、操作部材４に連結され、操作部材４と連動して回転する平歯車である。駆動ギア３１とラック３２とは、ラックアンドピニオン機構を構成している。
【００４５】
図６は、ラック３２の概略を示す斜視図である。ラック３２は、駆動ギア３１の回転を直線運動に変換する機構部である。ラック３２は、略板状の部材であり、上カバーの平板部１１１及び上板２１の主面２１９と略平行に設けられている。ラック３２は、互いにモジュール数の異なる第１ラックギア３２１及び第２ラックギア３２２を有する。第２ラックギア３２２は、左第２ラックギア３２３及び右第２ラックギア３２４により構成され、それぞれ第１ラックギア３２１の両側に配置されている。第１ラックギア３２１は駆動ギア３１と噛み合う。左第２ラックギア３２３は第１綴じ足ギア３３と噛み合う。右第２ラックギア３２４は第２綴じ足ギア３４と噛み合う。したがって、ラック３２のｘ方向の移動に伴って第１綴じ足ギア３３及び第２綴じ足ギア３４が回動する。すなわち、第１綴じ足ギア３３及び第２綴じ足ギア３４は、操作部材４の回転と同期して回転されるように構成されている。
【００４６】
図７は、第１綴じ足ギア３３及び第２綴じ足ギア３４の概略を示す平面図である。第１綴じ足ギア３３及び第２綴じ足ギア３４は、第２ラックギア３２２と噛み合う歯３３２、３４２を外周の一部に持つ平歯車である。本実施形態では、第１綴じ足ギア３３及び第２綴じ足ギア３４の歯３３２、３４２は外周のうち９０度をやや超える範囲に設けられている。第１綴じ足ギア３３及び第２綴じ足ギア３４は、中心に長孔３３１、３４１をそれぞれ有する。長孔３３１、３４１の幅は綴じ足２６、２７の厚さ（第２面２６２、２７２の幅）と略同じである。
【００４７】
図５の説明に戻る。長孔３３１、３４１にはそれぞれ綴じ足２６、２７の先端部２６３、２７３が挿入される。これにより、第１綴じ足ギア３３と綴じ足２６が連結され、第１綴じ足ギア３３の回動に同期して綴じ足２６が回動する。また、第２綴じ足ギア３４と綴じ足２７が連結され、第２綴じ足ギア３４の回動に同期して綴じ足２７が回動する。また、綴じ足２６、２７と長孔３３１、３４１とが面で当接するため、綴じ足２６、２７に大きな回転トルクが発生したとしても、長孔３３１、３４１に対して綴じ足２６、２７が回転しないようにすることができる。
【００４８】
駆動ギア３１及び第１ラックギア３２１のモジュールは、第１綴じ足ギア３３、第２綴じ足ギア３４の歯３３２、３４２及び第２ラックギア３２２のモジュールの１／２である。つまり、ラック３２が一定距離移動したときの第１綴じ足ギア３３及び第２綴じ足ギア３４の回動量は、駆動ギア３１の回動量の半分である。これにより、駆動ギア３１、すなわち操作部材４を略１８０度回転させることで、第１綴じ足ギア３３及び第２綴じ足ギア３４、すなわち綴じ足２６、２７を略９０度回転させることができる。また、第１綴じ足ギア３３及び第２綴じ足ギア３４のトルクが駆動ギア３１のトルクの略２倍となり、より軽い力で綴じ足２６、２７を回転させることができる。
【００４９】
図８は、操作部材４の概略を示す斜視図である。操作部材４は、略長円形状の平板であり、その外縁に長端部４４、４５を有する。操作部材４は、一端側の中央部に駆動ギア連結孔４１が形成されている。駆動ギア連結孔４１は、上カバー１１を貫通する図示しない軸棒を介して、上カバー１１と上板２１の間に収容されている駆動ギア３１と連結されている。操作部材４は、軸ａｘ３を中心に回転可能である。
【００５０】
操作部材４の上カバー１１との対向する面４６には、嵌合凹部４２、４３が形成されている。嵌合凹部４２、４３の外縁はそれぞれ略円形であり、整列突起２４、２５の嵌合突起２４３、２５３に対応する形状である。嵌合凹部４２、４３は、長端部４４、４５にそれぞれ近接して形成されていて、嵌合凹部４２、４３を成す外縁の一部が長端部４４、４５にそれぞれ架かるようになっている。言い換えれば、長端部４４、４５の一部は、嵌合凹部４２、４３によって切り欠かれている。
【００５１】
図１の説明に戻る。操作部材４は、上カバー１１の平板部１１１（図４参照）に設けられ、平板部１１１に沿って回転可能である。操作部材４は、操作部材４が上カバー１１の長さ方向に沿って第１綴じ足２６側にある第１態様（図１破線参照）と、操作部材４が第１態様から略１８０度回転し、操作部材４が上カバー１１の長さ方向に沿って第２綴じ足２７側にある第２態様（図１実線参照）と、の間で回動する。
【００５２】
言い換えれば、第１態様及び第２態様のいずれにおいても、操作部材４は上カバー１１に沿って（ｘ方向に沿って）配置される。したがって、被ファイル部材Ｐが掛け止められている状態において、綴じ具１の外形がコンパクトになる。また、操作部材４が被ファイル部材Ｐの上方に突出した状態で被ファイル部材Ｐを抜き差しすることがないため、被ファイル部材Ｐの抜き差しをスムーズに行うことができる。
【００５３】
操作部材４が軸ａｘ３を中心に回転して綴じ具１の正面側（−ｙ側）から嵌合突起２４３に近づくと、嵌合突起２４３は長端部４５の切欠部分から嵌合凹部４３に進入し、嵌合凹部４３に嵌合される。また、長端部４５は、突き当て突起２４１、２４２の側面に当接する。操作部材４が回転して綴じ具１の正面側から嵌合突起２５３に近づくと、嵌合突起２５３は長端部４４の切欠部分から嵌合凹部４２に進入し、嵌合凹部４２に嵌合される。長端部４４は、突き当て突起２５１、２５２の側面に当接する。
【００５４】
操作部材４は、突き当て突起２４１、２４２、２５１、２５２に当接するため、綴じ具１の正面側の範囲（図１の二点鎖線参照）でのみ回動する。したがって、操作部材４の回動は略１８０度の範囲に制限される。また、嵌合突起２４３、２５３と嵌合凹部４２、４３とがそれぞれ嵌合することにより、操作部材４及び綴じ足２６、２７の意図しない回転を防止することができる。
【００５５】
また、突き当て突起２４１、２４２、２５１、２５２及び嵌合突起２４３、２５３が整列突起２４、２５の上端部に形成されているため、操作部材４の回転を抑制する部材を別途設ける必要がない。したがって、部品点数を削減でき、構成を簡素にすることができる。
【００５６】
次に、綴じ具１の動作について説明する。図９（ａ）は、第１面２６１、２７１が正面側を向いている第１態様を示す斜視図であり、（ｂ）は、第２面２６２、２７２が正面側を向いている第２態様を示す斜視図である。
【００５７】
図９（ａ）に示す第１態様では、綴じ足２６、２７の第１面２６１、２７１がそれぞれｘ方向と略平行であり、綴じ具１の正面側を向いている。第１面２６１、２７１の幅は被ファイル部材ＰのスリットＨ２の幅より大きいため、綴じ穴Ｈ１に挿通されている綴じ足２６、２７はスリットＨ２を通らない。したがって、被ファイル部材Ｐは綴じ具１に掛け止められ、被ファイル部材Ｐの抜き差しは不可能である。
【００５８】
操作部材４（図９では図示省略）が綴じ具１の正面側（−ｙ側）を通って、平面視における（＋ｚ方向から見て）半時計回りに回転すると、操作部材４の回転に同期して駆動ギア３１が平面視半時計回りに回転する。駆動ギア３１の回転に伴って、ラック３２は右方（＋ｘ方向）に移動する。ラック３２の移動に伴って、第２ラックギア３２２に嵌合されている綴じ足ギア３３、３４が平面視半時計回りに回転する。操作部材４が略１８０度回転すると綴じ足ギア３３、３４は略９０度回転し、図９（ｂ）に示す第２態様のように、第２面２６２、２７２がそれぞれｘ方向と略平行となり、それぞれ綴じ具１の正面側を向く。第２面２６２、２７２の幅はスリットＨ２の幅の同等以下であるため、綴じられている被ファイル部材Ｐを綴じ具１から離れる方向へ引っ張ることにより、綴じ足２６、２７を被ファイル部材ＰのスリットＨ２を通して、被ファイル部材Ｐを綴じ具１から抜き出すことができる。また、別の被ファイル部材Ｐを綴じ具１に挿入し、綴じ穴Ｈ１を綴じ足２６、２７に挿通したりすることができる。つまり、この状態では、被ファイル部材Ｐを、綴じ足２６、２７の軸ａｘ１、ａｘ２と略直交する方向に抜き差し可能である。
【００５９】
本実施の形態によれば、操作部材４を回転させることで、綴じ足２６、２７が回転し、被ファイル部材Ｐが綴じ具１に掛け止められている態様と、被ファイル部材Ｐを綴じ具１に掛け止めたり外したりすることが可能な態様とを容易に切り替えることができる。また、本実施の形態によれば、第１態様と第２態様とを切りかえるのに操作部材４を回転させるだけでよいため、小さい力で操作可能であり、また、操作が容易である。
【００６０】
また、本実施の形態によれば、綴じ具を軽量化することができる。例えば図１１に示す従来の綴じ具１００では、平板状の操作手段１０４を図中手前に向かって直線的に引っ張ることにより、綴じ足変角部１２１を湾曲した変角案内孔１４１に沿って移動させるものであったため、綴じ足変角部１２１及び変角案内孔１４１に大きな力がかかっていた。そのため、操作手段１０４、綴じ足変角部１２１及び変角案内孔１４１を金属などの硬い部材で構成する必要があった。それに対し、本実施の形態によれば、各部材にかかる力が小さいため、樹脂等の軽量な素材で構成することができる。したがって、綴じ具１の総重量を軽くすることができる。また、総重量の大きい綴じ具１００は、ファイルの裏表紙に固定する必要があった。これに対し、本発明に係る綴じ具１によれば、総重量が軽いため、ファイル１０の背表紙１０２に固定することができる。これにより、ファイル１０を開く時に背表紙１０２と一緒に綴じ具１を回転し、ファイルの使い勝手を良くすることができる。
【００６１】
なお、ファイル１０の背表紙１０２の厚さは図１に示す形態に限られないし、綴じ具１の高さも図１に示す形態に限られない。例えば背表紙１０２の厚さが図１に示す形態よりも厚い場合は、背表紙１０２の厚さと綴じ具１の高さとが略同一となるように綴じ具１の高さも高くする。背板２２の厚さ（図１におけるｚ方向の幅）を変えることで、さまざまな厚さの綴じ具１を製作可能である。なお、背板２２の厚さを変えるのに伴い、整列突起２４、２５及び綴じ足２６、２７の長さを変える必要がある。
【００６２】
＜第２の実施の形態＞
本発明の第２の実施形態にかかる綴じ具１Ａについて、先に説明した実施の形態と異なる部分を中心に説明する。図１０は、綴じ具１Ａの概略を示す斜視図である。綴じ具１Ａは、両端が駆動ギア３１の外周部及び上板２１にそれぞれ固定される引っ張りばね５を備える点において、綴じ具１と異なる。なお、以降の説明において、綴じ具１と同様の構成については同一の符号を付し、説明を省略する。
【００６３】
機構部３Ａは、操作部材４の回転運動を綴じ足２６、２７に伝達するための機構であり、主として、駆動ギア３１と、ラック３２と、第１綴じ足ギア３３Ａと、第２綴じ足ギア３４Ａと、引っ張りばね５と、を備える。引っ張りばね５はコイルばねであり、引っ張りばね５の一端は、綴じ足２６に連結されている第１綴じ足ギア３３Ａに固定されている。引っ張りばね５の他端は、上板２１に固定されている。
【００６４】
第１綴じ足ギア３３Ａ及び第２綴じ足ギア３４Ａには、それぞれ外周の一部に第２ラックギア３２２と噛み合う歯３３２、３４２が形成されている。引っ張りばね５は、第１綴じ足ギア３３Ａの中心を挟んで第１綴じ足ギア３３Ａの歯との略反対側に固定されている。したがって、第１綴じ足ギア３３Ａは、引っ張りばね５により平面視時計回りに回転する力が付勢されている。
【００６５】
本実施の形態によれば、意図しないときに綴じ足２６、２７が回転しないようにすることができる。
【００６６】
なお、本実施の形態では、引っ張りばね５の両端が第１綴じ足ギア３３Ａと上板２１とに固定されていたが、引っ張りばね５の両端が第２綴じ足ギア３４Ａと上板２１とに固定されていてもよい。また、本実施の形態では、第１綴じ足ギア３３Ａ、第２綴じ足ギア３４Ａは、引っ張りばね５により平面視時計回りに回転する力が付勢されているが、引っ張りばね５により平面視反時計回りに回転する力が付勢されていてもよい。
【００６７】
なお、第１の実施の形態及び第２の実施の形態においては、１個の駆動ギア３１が２個の綴じ足２６、２７を回動させたが、１個の駆動ギア３１が１個又は３個以上の綴じ足を回動させてもよい。
【００６８】
以上、この発明の実施形態を、図面を参照して詳述してきたが、具体的な構成はこの実施形態に限られるものではなく、この発明の要旨を逸脱しない範囲の設計変更等も含まれる。
【００６９】
また、本発明において、「略」とは、厳密に同一である場合のみでなく、同一性を失わない程度の誤差や変形を含む概念である。例えば、略平行、略直交とは、厳密に平行、直交の場合には限られない。また、例えば、単に平行、直交等と表現する場合においても、厳密に平行、直交等の場合のみでなく、略平行、略直交等の場合を含むものとする。また、本発明において「近傍」とは、例えばＡの近傍であるときに、Ａの近くであって、Ａを含んでも含まなくてもよいことを示す概念である。
【符号の説明】
【００７０】
１、１Ａ：綴じ具
２      ：筐体
３、３Ａ：機構部
４      ：操作部材
５      ：引っ張りばね
１０    ：ファイル
１１    ：上カバー
２１    ：上板
２２    ：背板
２３    ：下板
２４、２５：整列突起
２６、２７：綴じ足
３１    ：駆動ギア
３２    ：ラック
３３、３３Ａ、３４、３４Ａ：綴じ足ギア
４１    ：駆動ギア連結孔
４２、４３：嵌合凹部
４４、４５：長端部
４６    ：面
１０１  ：表表紙
１０２  ：背表紙
１０３  ：裏表紙
１１１  ：平板部
１１２、１１３、１１５、１１６：長孔
１１４、１１７：丸孔
１１８、１１９：軸受
２１１、２１２：綴じ足孔
２１３  ：駆動ギア軸受部
２１４、２１５：整列突起孔
２１９  ：主面
２４１、２４２、２５１、２５２：突き当て突起
２４３、２５３：嵌合突起
２６１、２７１：第１面
２６２、２７２：第２面
２６３、２７３：先端部
３２１  ：第１ラックギア
３２２  ：第２ラックギア
３２３  ：左第２ラックギア
３２４  ：右第２ラックギア
３３１、３４１：長孔
３３２、３４２：歯
【図１】
2019199067.tif 000003
【図２】
2019199067.tif 000004
【図３】
2019199067.tif 000005
【図４】
2019199067.tif 000006
【図５】
2019199067.tif 000007
【図６】
2019199067.tif 000008
【図７】
2019199067.tif 000009
【図８】
2019199067.tif 000010
【図９】
2019199067.tif 000011
【図１０】
2019199067.tif 000012
【図１１】
2019199067.tif 000013